(57)【要約】【課題】  万が一誤って手動式のホットメルトガンを床面等に落下させた場合でも、溶融した糊が射出されることがなく作業の安全性を担保できるカバー部品、およびその部品を備えたホットメルトガンを提案する。【解決手段】  ホットメルトガンに装着され、ホットメルトガンの後端部から露出・突出している接着用糊棒を保護するためのカバー部品であって、ホットメルトガンの後端部から露出・突出している接着用糊棒を包囲するように形成された糊棒保護本体部と、ホットメルトガンに固定するための固着部と、を有するように構成する。【選択図】  図３
2013123678.tif 000002
【特許請求の範囲】
【請求項１】
ホットメルトガンに装着され、ホットメルトガンの後端部から露出・突出している接着用糊棒を保護するためのカバー部品であって、
前記カバー部品は、ホットメルトガンの後端部から露出・突出している接着用糊棒を包囲するように形成された糊棒保護本体部と、ホットメルトガンに固定するための固着部と、を有することを特徴とするカバー部品。
【請求項２】
前記糊棒保護本体部は、筒状形態からなる筒状部と、筒状部の長手方向に沿って開口された長穴を有する請求項１に記載のカバー部品。
【請求項３】
前記筒状形態からなる筒状部は、その両端部が開口されている請求項１または請求項２に記載のカバー部品。
【請求項４】
前記固着部は、前記筒状部に連接して形成されホットメルトガンの後端部と嵌合することのできる嵌合部と、この嵌合部に接合されるとともにホットメルトガンの射出方向に延設された固定ガイドと、を有する請求項１ないし請求項３のいずれかに記載のカバー部品。
【請求項５】
前記固定ガイドは、ホットメルトガンの背の部分に着脱可能に固定されることができる請求項４に記載のカバー部品。
【請求項６】
前記固着部は、前記筒状部の片端部分が固着機能を発揮するように構成されることにより形成されており、固着部を兼ねる筒状部の片端部分がホットメルトガンの後端部に固定されるように構成される請求項１ないし請求項３のいずれかに記載のカバー部品。
【請求項７】
前記固着機能を発揮する筒状部の片端部分とホットメルトガンの後端部とは互いに螺合、嵌合、またはボルトを利用したボルト締めにより着脱可能に固定される請求項６に記載のカバー部品。
【請求項８】
前記固着機能を発揮する筒状部の片端部分に接合されるとともにホットメルトガンの射出方向に延設された固定ガイドを、さらに有する請求項６または請求項７に記載のカバー部品。
【請求項９】
前記固定ガイドは、ホットメルトガンの背の部分に着脱可能に固定されることができる請求項８に記載のカバー部品。
【請求項１０】
請求項１ないし請求項９のいずれかに記載のカバー部品を有してなることを特徴とするホットメルトガン。
【発明の詳細な説明】
【技術分野】
【０００１】
本発明は、ホットメルトガンに装着された接着用糊棒を保護するためのカバー部品、およびその部品を備えたホットメルトガンに関し、より詳細には、ホットメルトガンを誤って落下させた際に、落下の勢いでホットメルトガンの後端部から露出・突出している接着用糊棒が前方に押圧されて高温の溶融糊が予期しない方向に射出することを防止するためのカバー部品、およびその部品を備えたホットメルトガンに関する。
【背景技術】
【０００２】
作業のスピードアップ、トータルコストダウン、およびクリーンな作業環境等が実現可能で、接着強度、耐熱性に優れ、安全性が確立されているホットメルト接着剤を用いた接着手法が広く用いられている。例えば、包装分野におけるカートン、ダンボールの組み立て包装、緩衝材の固定、サンプル固定、梱包チェック開梱後の包装等や；電気分野におけるＰＣボードへの電子部品の固定、補強仮止め、防振補強、コネクター空きスペース充填、ワイヤーの固定等や；住宅建材分野におけるタイル、床材、カーペット、壁紙等の接着や；自動車工業分野におけるダッシュボード防振補強材の接着、ドアー内装材の仮留め接着等；種々の分野でホットメルト接着剤が幅広く使用されている。
【０００３】
ホットメルト接着剤の中には長期の連続接着操作が可能なように、棒状に加工された糊棒タイプのものがある。また、このような糊棒タイプのホットメルト接着剤を使用する装置として、持ち歩き可能でかつ作業の自由度が大きい手動式のホットメルトガンがある。この場合、糊棒タイプのホットメルト接着剤は、通常、ホットメルトガンの後部から押し込むようにホットメルトガン内部に装着されるが、糊棒タイプのホットメルト接着剤の大半は、ホットメルトガンの後端から突出しており、露出したままになっている。接着操作を進めるうちに、この露出した糊棒の長さは徐々に短くなっていくが、完全に露出がなくなるのは、使用のほぼ最終段階に至ってからである。
【０００４】
手動式のホットメルトガンはその操作の自由度が大きいがゆえに、作業中、手の滑り等によって誤って床面等に落下させてしまうおそれがある。この場合、突出したホットメルト接着剤の端部が床面と衝突する等によって、露出した糊棒タイプのホットメルト接着剤が前方（射出方向）に押される力が作用し、溶融した糊が予期しない方向に射出して思いがけない事故を起こす危険性が十分に考えられる。発射される距離はホットメルト接着剤に加わる力にもよるが、数メートルに及ぶこともあると考えられる。
【先行技術文献】
【特許文献】
【０００５】
【特許文献１】実公平７−２１４０号公報
【特許文献２】登録実用新案第３０２８７９０号公報
【特許文献３】登録実用新案第３０５８６２７号公報
【特許文献４】登録実用新案第３０６２８８３号公報
【特許文献５】特開２００１−２３２２６２号公報
【特許文献６】特開平２−２３３１７３号公報
【特許文献７】特公平６−２２４号公報
【発明の概要】
【発明が解決しようとする課題】
【０００６】
しかしながら、従来より開示されている文献等の中には、上述の課題の提案もなされていないし、当該課題を解決する手段の提案を示唆する記載も見あたらない。
【０００７】
このような実状のもとに本発明は創案されたものであり、その目的は、万が一誤って手動式のホットメルトガンを床面等に落下させた場合でも、溶融した糊が射出されることがなく作業の安全性を担保できるホットメルトガンに装着された接着用糊棒のカバー部品、およびその部品を備えたホットメルトガンを提案することにある。
【０００８】
なお、提案するカバー部品においては、作業服等に引っかかる等の作業性の不便が生じるものは極力避けることが要求される。また、手動式のホットメルトガンに取り付けるものであるので出来るだけ極端な重量増加は避けることが要求される。また、糊棒の交換が煩雑になることは出来るだけ避けることが要求される。また、出来るだけ接着用糊棒を指で容易にサポートできることが要求される。
【課題を解決するための手段】
【０００９】
上記の課題を解決するために、本発明は、ホットメルトガンに装着され、ホットメルトガンの後端部から露出・突出している接着用糊棒を保護するためのカバー部品であって、前記カバー部品は、ホットメルトガンの後端部から露出・突出している接着用糊棒を包囲するように形成された糊棒保護本体部と、ホットメルトガンに固定するための固着部と、を有するように構成される。
【００１０】
また、本発明のカバー部品のより好ましい態様として、前記糊棒保護本体部は、筒状形態からなる筒状部と、筒状部の長手方向に沿って開口された長穴を有するように構成される。
【００１１】
また、本発明のカバー部品のより好ましい態様として、前記筒状形態からなる筒状部は、その両端部が開口されているように構成される。
【００１２】
また、本発明のカバー部品のより好ましい態様として、前記固着部は、前記筒状部に連接して形成されホットメルトガンの後端部と嵌合することのできる嵌合部と、この嵌合部に接合されるとともにホットメルトガンの射出方向に延設された固定ガイドと、を有するように構成される。
【００１３】
また、本発明のカバー部品のより好ましい態様として、前記固定ガイドは、ホットメルトガンの背の部分に着脱可能に固定されるように構成される。
【００１４】
また、本発明のカバー部品のより好ましい態様として、前記固着部は、前記筒状部の片端部分が固着機能を発揮するように構成されることにより形成されており、固着部を兼ねる筒状部の片端部分がホットメルトガンの後端部に固定されるように構成される。
【００１５】
また、本発明のカバー部品のより好ましい態様として、前記固着機能を発揮する筒状部の片端部分とホットメルトガンの後端部とは互いに螺合、嵌合、またはボルトを利用したボルト締めにより着脱可能に固定される。
【００１６】
また、本発明のカバー部品のより好ましい態様として、前記固着機能を発揮する筒状部の片端部分に接合されるとともにホットメルトガンの射出方向に延設された固定ガイドを、さらに有するように構成される。
【００１７】
また、本発明のカバー部品のより好ましい態様として、前記固定ガイドは、ホットメルトガンの背の部分に着脱可能に固定されることができるように構成される。
【００１８】
本発明のホットメルトガンは、上記のカバー部品を有してなるように構成される。
【発明の効果】
【００１９】
本発明は、ホットメルトガンに装着され、ホットメルトガンの後端部から露出・突出している接着用糊棒を保護するためのカバー部品であって、前記カバー部品は、ホットメルトガンの後端部から露出・突出している接着用糊棒を包囲するように形成された糊棒保護本体部と、ホットメルトガンに固定するための固着部と、を有するように構成しているので、万が一誤って手動式のホットメルトガンを床面等に落下させた場合でも、溶融した糊が射出されることがなく作業の安全性が確保されるという極めて優れた効果が奏される。
【図面の簡単な説明】
【００２０】
【図１】図１（Ａ）は、ホットメルトガンに装着された接着用糊棒のカバー部品（本発明）の好適な一例を示す正面図であり、図１（Ｂ）は、図１（Ａ）のαーα矢視図であり、図１（Ｃ）は、図１（Ａ）のβーβ矢視図である。
【図２】図２は、図１に示される本発明のカバー部品の斜視図である。
【図３】図３は、本発明のカバー部品が取り付けられたホットメルトガンの正面図である。
【図４】図４は、ホットメルトガンの正面図であり、本発明のカバー部品を取り付ける前の状態を示している。
【図５】図５は、図３の変形例であり、本発明のカバー部品が取り付けられたホットメルトガンの正面図である。
【発明を実施するための形態】
【００２１】
以下、図面を参照しながら、本発明のホットメルトガンに装着された接着用糊棒を保護するためのカバー部品、およびその部品を備えたホットメルトガンの構成について、詳細に説明する。
【００２２】
なお、本発明は以下に説明する形態に限定されることはなく、技術思想を逸脱しない範囲において種々変形を行なって実施することが可能である。また、添付の図面においては、説明のために上下、左右の縮尺を誇張して図示することがあり、実際のものとは縮尺が異なる場合がある。
【００２３】
図１（Ａ）は、ホットメルトガンに装着された接着用糊棒のカバー部品（本発明）の好適な一例を示す正面図であり、図１（Ｂ）は、図１（Ａ）のαーα矢視図であり、図１（Ｃ）は、図１（Ａ）のβーβ矢視図である。図２は、図１に示される本発明のカバー部品の斜視図である。図３は、本発明のカバー部品が取り付けられたホットメルトガンの正面図である。図４は、ホットメルトガンの正面図であり、本発明のカバー部品を取り付ける前の状態を示している。図５は、図３の変形例であり、本発明のカバー部品が取り付けられたホットメルトガンの正面図である。
【００２４】
〔ホットメルトガンの説明〕
本発明のカバー部品を適用することができるホットメルトガン１００の仕様は以下のとおりである。
【００２５】
すなわち、図４に示されるように、棒状に加工された糊棒タイプのホットメルト接着剤２００（以下、単に、接着用糊棒２００と称すことがある）が使用可能なホットメルトガン１００であって、ホットメルト接着剤２００を装着した際、ホットメルトガン１００の後端部１０１からホットメルト接着剤２００が突出して露出したままになることがあるホットメルトガン１００が対象とされる。さらには、持ち歩き可能でかつ作業の自由度が大きい手動式のホットメルトガン１００が対象とされる。このような要件を満たす公知の種々のホットメルトガン１００が適用可能とされる。
【００２６】
糊棒タイプのホットメルト接着剤２００は、ホットメルトガン１００の後部から先端に向けて押し込むようにして（図４の矢印（イ）方向に向けて）、ホットメルトガン内部に装着される。前述のごとく、大半の糊棒タイプのホットメルト接着剤は、ホットメルトガンの後端から突出しており、露出したままになっている。接着操作を進行させるうちに、この露出長さは徐々に短くなっていくが、完全に露出がなくなるのは、使用のほぼ最終段階に至ってからである。
【００２７】
ホットメルトガン１００には、接着剤の射出口となるノズル１０２、ノズルの開閉を行うノズルバルブ１０３が存在し、さらにはホットメルト接着剤２００を溶融させるためのヒートブロック部分１０４が存在する。ヒートブロック部分１０４における加熱方式には特に制限はなく、電気加熱方式、ガス燃焼加熱方式等いずれであってもよい。
【００２８】
なお、図示のホットメルトガン１００は、いわゆるパームグリップトリガー１０５を備えるタイプのものであり、一般のガンとは異なりパームグリップトリガー１０５を握って接着剤を押し出すタイプのものであるが、本発明はこのタイプに限定されるものではない。パームグリップトリガーを備えるタイプのものは、特に、連続する点塗布等に好適である。
【００２９】
なお、ホットメルトガン１００は、点状、線状、スパイラル状、スプレー状など、いずれの塗布を行うものであってもよい。ただし、塗布する長さや幅などによってはガンを使い分けることが望ましい。例えば、小箱、化粧箱や小さな電子部品の固定などの小物には少量吐出タイプを、ダンボールや緩衝材などの比較的大きなものには中量・大容量吐出タイプのガンを、それぞれ、使用することが望ましい。
【００３０】
また、エアー圧を利用して、エアーボタンを押すだけで塗布操作が行なえるタイプのホットメルトガンを使用することもできる。
【００３１】
〔カバー部品の説明〕
本発明のカバー部品１０は、図３に示されるように、ホットメルトガン１００の後部に装着され、ホットメルトガン１００の後端部１０１から露出・突出している接着用糊棒２００を保護しており、万が一、ホットメルトガン１００を床面等に落下させてしまった場合であっても、溶融した糊が射出されることを防止するように作用している。
【００３２】
このようなカバー部品１０は、ホットメルトガン１００の後端部１０１から露出・突出している接着用糊棒２００を包囲するように形成された糊棒保護本体部２０と、ホットメルトガン１００に固定するための固着部３０と、を有している。
【００３３】
図１に示される好適な本発明のカバー部品１０として、糊棒保護本体部２０は、筒状形態からなる筒状部２１と、筒状部２１の長手方向に沿って開口された長穴２５を有している。筒状部２１は、主として、ホットメルトガン１００が落下した際に、後端部１０１から露出・突出している接着用糊棒２００が前方（射出方向）に押されるのを防ぐカバーの役目を果たしている。長穴２５は、主として、接着用糊棒２００の使用状況等が目視にて確認できるよう形成される。
【００３４】
具体的には、図３に示されるように長穴２５を通して接着用糊棒２００の残量の確認が一目でできるように構成される。さらに、長穴２５に指を入れて接着用糊棒２００を軸方向の前後に移動可能とさせることもできるように構成される。具体的には、長穴２５に指を入れて表面に凹凸形状２０１，２０２が交互に連続的に形成されている接着用糊棒２００の凹部２０２に指先を引っ掛けて、ホットメルトガン１００の先端方向に押し込むことによって、接着用糊棒２００の追従を手で補助させることが可能となる。これにより、いわゆる、空打ちをなくすことが可能となる。また、長穴２５に指を入れて接着用糊棒２００を周方向に所定の角度で回動させることによって、押し出し可能な状態位置と押し出し不可能な状態位置との切り替えを可能とすることができる。
【００３５】
長穴２５は、図１〜図３に示される実施形態では、左右に２本、対向するように形成されているが、２本のうちのいずれか１本のみとすることもできる。また、３本以上形成するようにしてもよい。さらに長穴２５は、より細い切り込みであるスリットとして形成することもできる。
【００３６】
筒状形態からなる筒状部２１は、その両端部が開口されていることが望ましい。本発明のカバー部品１０を取り付けたままで、長穴２５をも利用して接着用糊棒２００を装着することが可能となり得るからである。もちろん、筒状部２１の最も外部に位置する端部２１ａ（図２参照）は閉口するようにしていてもよい。カバー部品１０は基本的に着脱可能に設計されているからである。
【００３７】
図１〜図３に示される実施形態において、固着部３０は、筒状部２１に連接して形成されホットメルトガン１００の後端部１０１と嵌合することのできる嵌合部３１と、この嵌合部３１に接合されるとともにホットメルトガンの射出方向に延設された固定ガイド３５と、を有して構成される。
【００３８】
嵌合部３１は本実施形態の場合、略円筒形状として構成されているが、この形態に限定されることなく、ホットメルトガン１００の後端部１０１の形態に合わせて形成することができる。楕円形の筒体、多角形の筒体等種々の態様が可能である。
【００３９】
固定ガイド３５は本実施形態の場合、板状形状から構成され、その一端が嵌合部３１に接合されるともに、ホットメルトガン１００の背の部分に位置するように略Ｌ字状に延設されている。本実施形態の場合、板状の固定ガイド３５はホットメルトガン１００の背の部分に着脱可能に固定される。着脱可能な固定方法については、特に限定されるものではない。例えば、図示の例では、板状の固定ガイド３５のホットメルトガン１００の背の部分と当接する部位には、孔３５ａが形成されており（図１、図２参照）、この孔３５ａを通して固定ガイド３５がホットメルトガン１００の背の部分に螺子止め（ボルトを利用したボルト締め）されるようになっている。本実施形態の場合、ホットメルトガン１００の背の部分には、螺子止め可能な部材１０６が形成されている。使用するホットメルトガン１００の背の部分に部材１０６が存在しない場合には、別途、螺子止め可能な部材１０６を準備して接着等の手法によって形成するようにすればよい。螺子止め以外の他の着脱可能な固定方法としては、例えば、着脱可能に嵌合するロック機構を設けるようにしたりすることができる。
【００４０】
ところで、上記の説明では固着部３０の構成として、嵌合部３１と、この嵌合部３１に接合される固定ガイド３５を有する場合について説明したが、これに代わる他の実施形態として、図５に示されるごとく嵌合部３１のみとして、固定ガイド３５を省略することも可能である。この場合には、形態がよりシンプルになって、使い方が容易となる。
【００４１】
図５に示されるごとく固着部３０を嵌合部３１のみとして構成した場合、固着部３０は、筒状部２１の片端部分２１ｂが固着機能を発揮するように構成されており、この片端部分２１ｂがホットメルトガン１００の後端部１０１に固定されるように構成される。
【００４２】
なお、嵌合部３１と筒状部２１とが連接している状態の形態は、図５に示されるような段差のない筒状形態に限定されることなく、図３に示されるような形態であって、かつ固定ガイド３５を除いた段差の有る筒状の形態とすることもできる。
【００４３】
このように固着部３０を嵌合部３１のみとして構成した場合、固着機能を発揮する筒状部２１の片端部分２１ｂとホットメルトガン１００の後端部１０１とは、例えば、（１）互いの接合部が螺合により着脱可能に固定、（２）嵌合により着脱可能に固定、（３）ボルトを利用したボルト締めにより着脱可能に固定、等の種々の固定の仕方が採択可能である。
【００４４】
カバー部品１０は、図５に示される形態に、さらに、図３に示されるような固定ガイド３５の部分を追加するようにしてもよい。すなわち、固着機能を発揮する筒状部２１の片端部分２１ｂに接合されるとともにホットメルトガンの射出方向に延設された固定ガイドを設けるようにしてもよい。この場合、固定ガイドは、ホットメルトガンの背の部分に着脱可能に固定することができるように構成されることが望ましい。
【００４５】
上述してきた種々の態様を採択し得るカバー部品１０は、所望の強度が必要となるため、金属材料や耐衝撃性に優れる樹脂材料等から構成されることが望ましく、特に、ステンレス、チタン、またはチタン合金の金属から構成することが望ましい。
【００４６】
上述してきたように、本発明は、ホットメルトガンに装着され、ホットメルトガンの後端部から露出・突出している接着用糊棒を保護するためのカバー部品であって、前記カバー部品は、ホットメルトガンの後端部から露出・突出している接着用糊棒を包囲するように形成された糊棒保護本体部と、ホットメルトガンに固定するための固着部と、を有するように構成しているので、万が一誤って手動式のホットメルトガンを落下させた場合でも、溶融した糊が射出されることがなく作業の安全性が確保されるという極めて優れた効果が奏される。
【符号の説明】
【００４７】
１０…カバー部品
２０…糊棒保護本体部
２１…筒状部
２５…長穴
３０…固着部
３１…嵌合部
３５…固定ガイド
１００…ホットメルトガン
１０１…後端部
１０６…螺子止め可能な部材
２００…接着用糊棒（ホットメルト接着剤）
【図１】
2013123678.tif 000003
【図２】
2013123678.tif 000004
【図３】
2013123678.tif 000005
【図４】
2013123678.tif 000006
【図５】
2013123678.tif 000007